(57)【要約】【課題】投射光の光学特性の調整を適切に実施できるプロジェクターを提供すること。【解決手段】プロジェクターは、光源装置、光変調装置及び投射光学装置と、光学調整装置とを備える。光学調整装置は、駆動手段と、駆動手段の駆動により回転するギアと、ギアと噛合して移動する移動部材６６と、移動部材６６により光路上に移動されて、入射光の光学特性を調整する調整部材と、移動部材６６の移動を案内するガイド軸６２とを有する。移動部材６６は、ギアと対向する第１側面（側面部６６Ｃ）に位置してギアと噛合するラック部６６Ｃ１と、移動部材６６の移動方向に沿って移動部材を見た場合に第１側面側に偏って配置され、ガイド軸６２が内部に配置される軸収納部６６２とを有する。【選択図】図１０
2015014728.tif 000002
【特許請求の範囲】
【請求項１】
光を出射する光源装置と、
入射される光を変調する光変調装置と、
変調された光を投射する投射光学装置と、
前記光源装置から出射された光が前記投射光学装置により投射される光路上に配置される光学調整装置と、を備え、
前記光学調整装置は、
駆動手段と、
前記駆動手段の駆動により回転するギアと、
前記ギアと噛合して移動する移動部材と、
前記移動部材により前記光路上に移動されて、入射される光の光学特性を調整する調整部材と、
前記移動部材と係合して、前記移動部材の移動を案内するガイド軸と、を有し、
前記移動部材は、
前記ギアと対向する第１側面に位置し、前記ギアと噛合するラック部と、
前記移動部材の移動方向に沿って前記移動部材を見た場合に前記第１側面側に偏って配置され、前記ガイド軸が内部に配置される軸収納部と、を有することを特徴とするプロジェクター。
【請求項２】
請求項１に記載のプロジェクターにおいて、
前記移動部材は、前記ガイド軸に接触して前記ギア側への前記移動部材の揺動を規制する揺動規制部を有することを特徴とするプロジェクター。
【請求項３】
請求項２に記載のプロジェクターにおいて、
前記揺動規制部は、前記ガイド軸の外周面に接触する３つの支点部を有し、
前記３つの支点部は、
前記ガイド軸に対して前記第１側面とは反対側に位置し、前記ガイド軸において前記第１側面から最も離れた部位に対向する位置に配置される第１支点部と、
前記ガイド軸に対して前記第１側面側に位置し、前記第１支点部に対してそれぞれ略等間隔に配置される第２支点部及び第３支点部と、を含むことを特徴とするプロジェクター。
【請求項４】
請求項２又は請求項３に記載のプロジェクターにおいて、
前記揺動規制部は、前記ガイド軸の中心軸に沿う方向における前記移動部材の両端側の位置にそれぞれ配置されていることを特徴とするプロジェクター。
【請求項５】
請求項１から請求項４のいずれかに記載のプロジェクターにおいて、
前記移動部材は、前記移動部材の移動方向に沿い、かつ、前記第１側面に交差する略矩形状の第２側面を有し、
前記光学調整装置は、前記ガイド軸を支持し、前記第２側面を覆う支持部材を有し、
前記第２側面は、前記第２側面の各隅部に前記支持部材に向かって突出する突部を有することを特徴とするプロジェクター。
【請求項６】
請求項１から請求項５のいずれかに記載のプロジェクターにおいて、
前記調整部材は、前記移動部材に対して交換可能に設けられていることを特徴とするプロジェクター。
【請求項７】
請求項１から請求項６のいずれかに記載のプロジェクターにおいて、
前記調整部材は、
本体部と、
前記本体部と接続され、前記移動部材に前記調整部材を取り付ける取付部と、を有し、
前記本体部は、入射される光の一部を遮蔽する遮蔽部と、他の一部を通過させる通過部と、を有し、
前記調整部材の光入射面における前記取付部側の領域である第１領域は、前記取付部側とは反対側の領域である第２領域に対して傾斜し、
前記第１領域及び前記第２領域の少なくともいずれかは、入射される光の中心軸に対して、入射される光の進行方向側に傾斜していることを特徴とするプロジェクター。
【発明の詳細な説明】
【技術分野】
【０００１】
本発明は、プロジェクターに関する。
【背景技術】
【０００２】
従来、光源装置と、当該光源装置から出射された光を変調して画像情報に応じた画像を形成する光変調装置と、形成された画像を投射する投射光学装置とを備えたプロジェクターが知られている。このようなプロジェクターとして、光源装置から入射される光束の色域や形状を調整して、プロジェクターのモードを明るさ優先モード、色再現性優先モード及びコントラスト優先モードに切り替えるモード切替装置を備えたプロジェクターが知られている（例えば、特許文献１参照）。
【０００３】
特許文献１に記載のプロジェクターでは、モード切替装置は、光源装置から入射される光束の色域を調整するカットフィルターと、当該光束を部分的に遮断する絞りと、スライド機構と、一対のモーターとを備える。
これらのうち、スライド機構は、それぞれモーターに連結される２つの減速ギアボックスと、第１及び第２主動歯車と、第１及び第２従動歯車と、カットフィルター側に設けられた第１ラックと、絞り側に設けられた第２ラックとを備える。各減速ギアボックスは、それぞれモーターの回転力を第１及び第２主動歯車に伝達し、第１及び第２主動歯車は、それぞれ第１及び第２従動歯車と噛合し、当該第１及び第２従動歯車は、それぞれ第１及び第２ラックと噛合している。
【０００４】
また、スライド機構は、カットフィルター及び絞りを支持するとともに、これらの移動を案内する案内機構を備え、当該案内機構は、支持軸と、カットフィルターが固定される第１摺動部材と、絞りが固定される第２摺動部材とを有する。第１摺動部材は、上記第１ラックと、両端に上記支持軸を三方向から囲む第１及び第２支持部を有する。また、第２摺動部材は、上記第２ラックと、両端に上記支持軸を三方向から囲む第１及び第２支持部を有する。
【０００５】
このようなモード切替装置では、各モーターが駆動して、上記構成を介して第１及び第２従動歯車が回転すると、当該第１及び第２従動歯車に噛合する第１及び第２ラックを有する第１及び第２摺動部材が、支持軸に沿って摺動する。これにより、第１及び第２摺動部材に固定されたカットフィルター及び絞りが、システム光軸に直交する方向に往復移動され、入射光束の光路に対して挿抜される。
【先行技術文献】
【特許文献】
【０００６】
【特許文献１】特開２０１２−１１８１８２号公報
【発明の概要】
【発明が解決しようとする課題】
【０００７】
ところで、上記各摺動部材にはカットフィルター及び絞りが固定されていることから、重心の位置によって支持軸を中心として摺動部材が回動する場合がある。この際、各摺動部材が必要以上に回動すると、当該各摺動部材が有するラックと従動歯車との噛合状態が許容範囲を超えてしまう。例えば、ラックが従動歯車側に必要以上に傾くと、ラックと従動歯車との間で噛み込みが生じやすくなる。特に、摺動部材においてラックが形成された端面から、支持軸の挿通部位が離れていると、摺動部材の回動時にラック側の端部の移動量（従動歯車側への傾斜量）が大きくなり、上記噛み込みが生じやすくなる。このような噛み込みが生じると、従動歯車の回転に伴う摺動部材の摺動が適切に実施されなくなり、カットフィルター及び絞りを移動させることができなくなるおそれがある。
【０００８】
このような問題に対し、摺動部材及び従動歯車を精度よく製造するとともに、摺動部材と従動歯車とのクリアランスが適切な値となるように精度よく組み立てる対処法が考えられる。しかしながら、このような対処法では、プロジェクターの製造効率が低下するという問題が生じる。このため、カットフィルター及び絞りの移動を適切に実施できる他の構成が要望されてきた。
【０００９】
本発明は、投射される光の光学特性の調整を適切に実施できるプロジェクターを提供することを目的の１つとする。
【課題を解決するための手段】
【００１０】
本発明の一態様に係るプロジェクターは、光を出射する光源装置と、入射される光を変調する光変調装置と、変調された光を投射する投射光学装置と、前記光源装置から出射された光が前記投射光学装置により投射される光路上に配置される光学調整装置と、を備え、前記光学調整装置は、駆動手段と、前記駆動手段の駆動により回転するギアと、前記ギアと噛合して移動する移動部材と、前記移動部材により前記光路上に移動されて、入射される光の光学特性を調整する調整部材と、前記移動部材と係合して、前記移動部材の移動を案内するガイド軸と、を有し、前記移動部材は、前記ギアと対向する第１側面に位置し、前記ギアと噛合するラック部と、前記移動部材の移動方向に沿って前記移動部材を見た場合に前記第１側面側に偏って配置され、前記ガイド軸が内部に配置される軸収納部と、を有することを特徴とする。
【００１１】
なお、駆動手段としては、モーターを例示できる。
また、調整部材としては、入射される光を透過させる過程で当該光の色域（波長域）を調整するカラーフィルターや、入射される光の外縁形状を調整することで、投射される光により構成される画像のコントラストを向上させる絞りを例示できる。
【００１２】
上記一態様によれば、光源装置から出射された光が投射される光路上に配置される光学調整装置は、駆動手段の駆動により回転するギアと噛合するラック部と、ガイド軸が内部に配置される軸収納部とを有する移動部材を備える。軸収納部は、移動部材の移動方向に沿って当該移動部材を見た場合に、ラック部が位置する第１側面側に偏って配置されている。すなわち、移動部材を挿通するガイド軸は、上記移動方向に沿って移動部材を見た場合に、当該移動部材の中心に対して第１側面側に位置する。これによれば、ガイド軸を中心として移動部材が回動した場合でも、ガイド軸が移動部材の中心に対して第１側面とは反対側に位置する場合に比べて、当該移動部材における第１側面側の端部の移動量を小さくすることができる。このため、移動部材が回動した場合のギア側への当該移動部材の傾斜量を小さくすることができ、ギアとラック部との噛み込みの発生を抑制できる。従って、移動部材、ひいては、調整部材の移動を適切に実施できるので、投射される光の光学特性（投射画像の光学特性）の調整を適切に実施できる。
【００１３】
上記一態様では、前記移動部材は、前記ガイド軸に接触して前記ギア側への前記移動部材の揺動を規制する揺動規制部を有することが好ましい。
【００１４】
ここで、ギア側への移動部材の移動量が大きくなると、ギアとラック部との間のクリアランスが小さくなる他、移動部材の回動軸がギアから離れた位置に移動することとなる。この場合、移動部材が回動した際の第１側面側の端部の移動量が大きくなり、ひいては、ギア側への移動部材の傾斜量が大きくなる。
これに対し、上記一態様によれば、移動部材が上記揺動規制部を有することにより、ギア側への移動部材の移動を抑制できる。このため、移動部材が回動した際の第１側面側の端部の移動量、ひいては、ギア側への移動部材の傾斜量を小さくすることができる。従って、上記噛み込みの発生を一層抑制できる。
【００１５】
上記一態様では、前記揺動規制部は、前記ガイド軸の外周面に接触する３つの支点部を有し、前記３つの支点部は、前記ガイド軸に対して前記第１側面とは反対側に位置し、前記ガイド軸において前記第１側面から最も離れた部位に対向する位置に配置される第１支点部と、前記ガイド軸に対して前記第１側面側に位置し、前記第１支点部に対してそれぞれ略等間隔に配置される第２支点部及び第３支点部と、を含むことが好ましい。
【００１６】
上記一態様によれば、ガイド軸は、第１側面とは反対側に位置する第１支点部と、第１側面側に位置し、かつ、第１支点部からそれぞれ略等間隔に配置される第２支点部及び第３支点部とにより囲まれる。これによれば、ガイド軸の中心軸に直交する方向への移動部材の揺動を確実に規制できる。
【００１７】
ここで、例えば熱膨張により、各支点部とガイド軸との間のクリアランスが大きくなる場合がある。このような場合、上記支点部のうちのいずれかが、ガイド軸において第１側面から最も離れた部位に対向する位置に配置されていないと、ギア側への移動部材の移動量（ガタつき量）が大きくなり、上記噛み込みが生じる可能性が生じる。
これに対し、上記一態様では、第１支点部は、ガイド軸において第１側面から最も離れた部位に対向する位置に配置される。これによれば、第１支点部がガイド軸と接触することにより、上記場合に比べ、ギア側への移動部材の移動量を小さくすることができる。従って、上記噛み込みの発生を確実に抑制できる。
【００１８】
上記一態様では、前記揺動規制部は、前記ガイド軸の中心軸に沿う方向における前記移動部材の両端側の位置にそれぞれ配置されていることが好ましい。
ここで、移動部材とガイド軸との接触面積が大きいと、当該ガイド軸に対する移動部材の摺動抵抗が大きくなる。
これに対し、上記一態様では、ガイド軸と接触する揺動規制部は、当該ガイド軸の中心軸に沿う方向における移動部材の両端側にそれぞれ配置されている。これによれば、ガイド軸との接触面積を小さくすることができるので、移動部材の摺動抵抗を小さくすることができる。従って、移動部材をガイド軸に沿って摺動させやすくすることができる。また、揺動規制部が、移動部材の両端側にそれぞれ配置されていることにより、当該移動部材の中央にのみ配置されている場合に比べて、移動部材の摺動を安定化することができる。
【００１９】
上記一態様では、前記移動部材は、前記移動部材の移動方向に沿い、かつ、前記第１側面に交差する略矩形状の第２側面を有し、前記光学調整装置は、前記ガイド軸を支持し、前記第２側面を覆う支持部材を有し、前記第２側面は、前記第２側面の各隅部に前記支持部材に向かって突出する突部を有することが好ましい。
上記一態様によれば、支持部材により移動部材及びガイド軸を一体的に構成できる。
また、矩形状の第２側面の各隅部に設けられた突部が支持部材と接触するので、当該第２側面の全体が支持部材と接触する場合に比べて、移動部材と支持部材との接触面積を小さくすることができる。この他、ガイド軸を中心として移動部材が回動する場合でも、第２側面から突出する突部が支持部材と接触することで、移動部材の回動角を小さくすることができる。従って、移動部材を摺動しやすくすることができる他、当該移動部材のガタつきを抑制できる。
【００２０】
ここで、支持部材が板金を折曲加工して形成されている場合、支持部材において第２側面を覆う面の中央が移動部材側とは反対側に凸曲面状に湾曲しやすい。
これに対し、第２側面の各隅部に突部がそれぞれ設けられていることにより、２つの突部を上記面における端部側の位置、すなわち、湾曲しづらい位置に接触させることができる。従って、支持部材が折曲加工により形成されている場合でも、上記効果を好適に奏することができる。
【００２１】
上記一態様では、前記調整部材は、前記移動部材に対して交換可能に設けられていることが好ましい。
上記一態様によれば、調整部材を交換できるので、例えば、調整部材として光学フィルターや絞りを採用した光学調整装置の構成を共通化できる。この他、経年劣化等により調整部材を交換する場合でも、光学調整装置全体を交換する必要がない。従って、プロジェクターの製造コストを低減できる。
【００２２】
上記一態様では、前記調整部材は、本体部と、前記本体部と接続され、前記移動部材に前記調整部材を取り付ける取付部と、を有し、前記本体部は、入射される光の一部を遮蔽する遮蔽部と、他の一部を通過させる通過部と、を有し、前記調整部材の光入射面における前記取付部側の領域である第１領域は、前記取付部側とは反対側の領域である第２領域に対して傾斜し、前記第１領域及び前記第２領域の少なくともいずれかは、入射される光の中心軸に対して、入射される光の進行方向側に傾斜していることが好ましい。
【００２３】
ここで、遮蔽部に入射された光のうち一部の光は、当該遮蔽部にて反射される。この際、上記第１領域及び第２領域が同一平面上に位置する場合には、第１領域の遮蔽部に入射された光と、第２領域の遮蔽部に入射された光とは、ほぼ同じ位置に反射される。この場合、当該位置は高温となりやすく、劣化が進みやすい。
これに対し、上記一態様によれば、第１領域の遮蔽部に入射された光と、第２領域の遮蔽部に入射された光とは、それぞれ異なる位置に反射されるので、上記の場合に比べて、反射された光が入射される位置の温度上昇を抑制でき、劣化を抑制できる。
更に、第１領域及び第２領域の少なくともいずれかは、入射される光の中心軸に対して、当該入射される光の進行方向側に傾斜しているので、光源装置に向かって進行する戻り光の光量を低減できる。従って、光源装置、及び、当該光源装置から調整部材までの光路上に位置する光学部品の劣化を抑制できる。
【図面の簡単な説明】
【００２４】
【図１】本発明の一実施形態に係るプロジェクターの外観を示す斜視図。
【図２】上記実施形態におけるプロジェクターの内部構成を示す模式図。
【図３】上記実施形態におけるプロジェクターの内部構成を示す模式図。
【図４】上記実施形態における光学調整装置を光入射側から見た斜視図。
【図５】上記実施形態における光学調整装置を光出射側から見た斜視図。
【図６】上記実施形態における光学調整装置を示す平面図。
【図７】上記実施形態における光学調整装置を示す側面図。
【図８】上記実施形態における移動部材を光入射側から見た斜視図。
【図９】上記実施形態における移動部材を光出射側から見た斜視図。
【図１０】上記実施形態における移動部材を示す側面図。
【図１１】上記実施形態における移動部材を示す側面図。
【図１２】上記実施形態における比較例である移動部材の回動状態を示す図。
【図１３】上記実施形態における移動部材の回動状態を示す図。
【図１４】上記実施形態における比較例である支点部とガイド軸との揺動状態を示す図。
【図１５】上記実施形態における支点部とガイド軸との揺動状態を示す図。
【図１６】上記実施形態における他の光学調整装置を光入射側から見た斜視図。
【図１７】上記実施形態における他の光学調整装置を光出射側から見た斜視図。
【発明を実施するための形態】
【００２５】
以下、本発明の一実施形態について、図面に基づいて説明する。
［プロジェクターの外観構成］
図１は、本実施形態に係るプロジェクター１を上方正面側から見た斜視図である。
本実施形態に係るプロジェクター１は、内部に配置された光源装置から出射された光を変調して画像情報に応じた画像を形成し、当該画像をスクリーン等の被投射面上に拡大投射する。プロジェクター１は、図１に示すように、外装を構成する外装筐体２を備える。
【００２６】
外装筐体２は、金属又は合成樹脂製の筐体であり、アッパーケース２Ａ、ロアーケース２Ｂ及びフロントケース２Ｃを備える。アッパーケース２Ａは、外装筐体２の上面部２１と、背面部２４、右側面部２５及び左側面部２６における上面部２１側の一部とを構成する。ロアーケース２Ｂは、下面部２２と、背面部２４、右側面部２５及び左側面部２６における下面部２２側の一部とを構成する。フロントケース２Ｃは、正面部２３を構成する。これら各ケース２Ａ〜２Ｃは、互いにねじ等により固定される。
なお、以下の図及び説明において、光学ユニット５（投射光学装置５７）による画像の投射方向をＺ方向とし、Ｚ方向と直交し、かつ、互いに直交する方向をＸ方向及びＹ方向とする。以下では、Ｙ方向は、プロジェクター１が水平面上に設置された設置状態において上側を向く方向（下面部２２から上面部２１に向かう方向）とする。Ｘ方向は、当該設置状態においてプロジェクター１を正面側から見て右から左に向かう方向（右側面部２５から左側面部２６に向かう方向）とする。
【００２７】
正面部２３は、Ｘ方向に沿って互いに並列に配置された３つの開口部２３１〜２３３を有する。
中央に位置する開口部２３１は、後述する投射光学装置５７から出射された画像が通過する画像通過用開口部である。正面部２３の内面側（Ｚ方向とは反対側）には、当該開口部２３１を開閉するシャッター装置２Ｄが設けられている。
開口部２３１の左右に形成された開口部２３２，２３３は、それぞれ、外装筐体２内を流通した空気を排出する排気口である。開口部２３２，２３３には、ルーバー部材２Ｅが取り付けられている。
【００２８】
［プロジェクターの内部構成］
図２及び図３は、プロジェクター１の内部構成を示す模式図である。詳述すると、図２は、外装筐体２内を上方（上面部２１側であり、Ｙ方向側）から見た模式図であり、図３は、外装筐体２内を側方（左側面部２６側であり、Ｘ方向側）から見た模式図である。なお、図２においては、第１照明装置５１及び第１光学装置５２に対してＹ方向とは反対側に位置する第２照明装置５３及び第２光学装置５４を点線で示すこととする。
プロジェクター１は、図２及び図３に示すように、上記外装筐体２内に収納される装置本体３を備える。装置本体３は、冷却装置４（図２）及び光学ユニット５（図２及び図３）を備える他、図示を省略するが、プロジェクター１を制御する制御装置、及び、電力を供給する電源装置を備える。
【００２９】
［冷却装置の構成］
冷却装置４は、図２に示すように、外装筐体２内で空気を流通させて、プロジェクター１を構成する冷却対象を冷却する。冷却装置４は、外装筐体２における背面部２４側の位置に形成された吸気口（図示省略）を介して外部の空気を吸引する吸気ファン（図示省略）と、それぞれ開口部２３２，２３３に対向配置される一対のファン４１とを有する。吸気ファンにより吸引された外部の空気は、外装筐体２内を流通した後、上記一対のファン４１により吸引され、開口部２３２，２３３を介して外装筐体２外に排出される。
また、冷却装置４は、外装筐体２内に導入された空気を吸引して、後述する偏光変換素子５２３，５４３に送出するファン４２を有する。
【００３０】
［光学ユニットの構成］
光学ユニット５は、上記制御装置による制御の下、画像情報に応じた画像を形成及び投射する。光学ユニット５は、図２及び図３に示すように、３次元的に配置される複数の装置５１〜５７を備える。具体的に、光学ユニット５は、第１照明装置５１（図２）、第１光学装置５２（図２及び図３）、第２照明装置５３（図２）、第２光学装置５４（図３）、３つの画像形成装置５５（図３）、色合成装置５６（図３）及び投射光学装置５７（図２及び図３）を備える。
これらのうち、第１照明装置５１及び第１光学装置５２は、Ｙ方向側に位置し、第２照明装置５３及び第２光学装置５４は、Ｙ方向とは反対側に位置する。すなわち、第１照明装置５１及び第１光学装置５２と、第２照明装置５３及び第２光学装置５４とは、Ｙ方向の位置（下面部２２からの高さ位置）がそれぞれ異なるように配置される。
【００３１】
［第１照明装置の構成］
第１照明装置５１は、赤色光及び緑色光を含む光を第１光学装置５２に出射する。第１照明装置５１は、第１光源装置５１１、ダイクロイックプリズム５１２、ピックアップレンズ５１３、波長変換装置５１４及び反射部材５１５を備える。
第１光源装置５１１は、本発明の光源装置を構成し、Ｚ方向とは反対方向に光を出射する。第１光源装置５１１は、図示を省略するが、それぞれ紫外領域の光を出射する複数のＬＤ（Laser Diode）がマトリクス状に配列された基板と、各ＬＤから入射される光を集光して光束として出射する集光レンズと、入射される光束を平行化する平行化レンズとを有する。
【００３２】
ダイクロイックプリズム５１２は、所定波長未満の光を反射し、当該所定波長以上の光を透過する分離層５１２１を有する。この分離層５１２１は、第１光源装置５１１から入射される光をピックアップレンズ５１３に向けて反射させ、当該光の光路をＸ方向とは反対方向に略９０度屈曲させる。また、分離層５１２１は、ピックアップレンズ５１３を介して入射される光（波長変換装置５１４にて波長変換された光）を透過させて、Ｘ方向側に位置する反射部材５１５に入射させる。
【００３３】
ピックアップレンズ５１３は、入射される光束を波長変換装置５１４のホイール５１４２に形成された蛍光層５１４４の所定部位に入射させる。また、ピックアップレンズ５１３は、当該波長変換装置５１４により波長変換された光を集光して、ダイクロイックプリズム５１２に入射させる。
【００３４】
波長変換装置５１４は、入射された光の波長を変換し、当該変換された光をピックアップレンズ５１３に反射させる。この波長変換装置５１４は、回転手段としてのモーター５１４１と、当該モーター５１４１により回転されるホイール５１４２とを有する。
ホイール５１４２は、ピックアップレンズ５１３に対向する表面に形成された反射層５１４３と、当該反射層５１４３上に積層された蛍光層５１４４とを有する。蛍光層５１４４に含まれる蛍光体は、ピックアップレンズ５１３から入射される光を吸収して励起され、所定波長の光を出射する。なお、本実施形態では、蛍光体は、第１光源装置５１１から出射された光を吸収して、赤色光及び緑色光を含む光（黄色光）を出射する。
このような蛍光体によって波長変換された光は、反射層５１４３により反射され、ピックアップレンズ５１３に入射される。なお、ホイール５１４２は、モーター５１４１によって回転されることで冷却される。
【００３５】
反射部材５１５は、Ｘ方向に沿ってダイクロイックプリズム５１２から入射される光を反射させる全反射層５１５１を有し、当該全反射層５１５１により当該光の光路をＺ方向に略９０度屈曲させる。この反射部材５１５により反射された光は、第１光学装置５２に入射される。
【００３６】
［第１光学装置の構成］
第１光学装置５２は、図２及び図３に示すように、第１レンズアレイ５２１、第２レンズアレイ５２２、偏光変換素子５２３、重畳レンズ５２４、ダイクロイックミラー５２５及び２つの光学調整装置６（６Ａ，６Ｂ）と、これらを内部に収納する第１光学部品用筐体５２Ａとを備える。
【００３７】
第１レンズアレイ５２１、第２レンズアレイ５２２、偏光変換素子５２３及び重畳レンズ５２４は、第１光源装置５１１から入射される光の中心軸に直交する面内の照度を均一化する均一照明装置として機能する。
第１レンズアレイ５２１は、詳しい図示を省略するが、入射される光束を複数の部分光束に分割する複数の第１小レンズがマトリクス状に配列された構成を有する。
第２レンズアレイ５２２は、第１レンズアレイ５２１の各第１小レンズに応じた複数の第２小レンズがマトリクス状に配列された構成を有する。第２レンズアレイ５２２及び重畳レンズ５２４は、入射される各部分光束を後述する反射型光変調装置５５２の画像形成領域に重畳させて、当該画像形成領域を均一に照明する。
偏光変換素子５２３は、入射された光の偏光方向を一種類に揃える。
【００３８】
ダイクロイックミラー５２５は、均一化された光から緑色光と赤色光とを分離する色分離装置として機能する。ダイクロイックミラー５２５は、図３に示すように、入射される光束の中心軸に対して傾斜して配置される。ダイクロイックミラー５２５は、当該光束に含まれる赤色光を透過させて、赤用の画像形成装置５５Ｒに入射させ、当該光束に含まれる緑色光をＹ方向とは反対方向に反射させて、緑用の画像形成装置５５Ｇに入射させる。なお、ダイクロイックミラー５２５に代えて、当該ダイクロイックミラー５２５と同様の色分離特性を有する色分離層が形成されたプリズムを採用してもよい。
【００３９】
光学調整装置６（６Ａ，６Ｂ）は、入射される光束の光学特性を調整する。
光学調整装置６Ａは、第２レンズアレイ５２２と偏光変換素子５２３との間に配置される。光学調整装置６Ａは、入射される光束の一部を遮蔽して、当該光束の中心軸に対する直交面内における当該光束の形状（すなわち、光束の透過領域の形状）を調整する。光学調整装置６Ａにより、当該光束における周縁部分の光が遮蔽されることで、後述する反射型光変調装置５５２への入射角度が小さい中心光束を当該反射型光変調装置５５２に入射させることができ、形成される画像のコントラストが向上される。
【００４０】
光学調整装置６Ｂは、重畳レンズ５２４とダイクロイックミラー５２５との間に配置される。光学調整装置６Ｂは、入射される光束の色域を調整する。本実施形態では、光学調整装置６Ｂは、入射される光のうち、緑色光の波長と赤色光の波長との間の中間波長の色光の強度を減衰させることで、ダイクロイックミラー５２５による緑色光及び赤色光の分離を良好にさせ、形成される画像の色再現性を向上させる。
なお、光学調整装置６（６Ａ，６Ｂ）の構成については、後に詳述する。
【００４１】
第１光学部品用筐体５２Ａは、合成樹脂製の筐体である。この第１光学部品用筐体５２Ａは、図示を省略するが、上記光学部品５２１〜５２５及び光学調整装置６Ａ，６Ｂを内部に収納するための開口部を有する部品収納部材と、当該開口部を閉塞する蓋状部材とを有する。
【００４２】
［第２照明装置の構成］
第２照明装置５３は、青色光を第２光学装置５４に出射する。この第２照明装置５３は、図２に示すように、第２光源装置５３１、拡散板５３２及び反射部材５３３を備える。
第２光源装置５３１は、本発明の光源装置を構成し、Ｘ方向とは反対方向に青色光を出射する。第２光源装置５３１は、上記第１光源装置５１１と同様に、それぞれ青色光を出射する複数のＬＤ（Laser Diode）がマトリクス状に配列された基板と、集光レンズ及び平行化レンズとを有する。
拡散板５３２は、第２光源装置５３１から入射される光束を拡散させて透過させる。
反射部材５３３は、上記反射部材５１５と同様に、拡散板５３２を介してＸ方向とは反対方向から入射される光束を反射させる全反射層５３３１を有し、当該全反射層５３３１により当該光の光路をＺ方向に略９０度屈曲させる。この反射部材５３３により反射された光は、第２光学装置５４に入射される。なお、上記のように、反射部材５３３は、図３に示すように、反射部材５１５の下側（Ｙ方向とは反対側）に位置している。
【００４３】
［第２光学装置の構成］
第２光学装置５４は、図３に示すように、第１光学装置５２の下側（Ｙ方向とは反対側）に配置されている。第２光学装置５４は、第１レンズアレイ５４１、第２レンズアレイ５４２、偏光変換素子５４３及び重畳レンズ５４４と、光学調整装置６（６Ｃ）と、これらを内部に収納する第２光学部品用筐体５４Ａとを備える。
第１レンズアレイ５４１、第２レンズアレイ５４２、偏光変換素子５４３及び重畳レンズ５４４は、上記と同様に、均一照明装置として機能する。これら各光学部品５４１〜５４４は、それぞれ上記光学部品５２１〜５２４と同様の構成を有する。
【００４４】
光学調整装置６Ｃは、光学調整装置６Ａと同様の構成及び機能を有し、第２レンズアレイ５４２と偏光変換素子５４３との間に配置される。光学調整装置６Ｃは、光学調整装置６Ａと同様に動作される。すなわち、光学調整装置６Ａが光束の一部を遮蔽する場合には、光学調整装置６Ｃも光束の一部を遮蔽し、光学調整装置６Ａが光束を遮蔽しない場合には、光学調整装置６Ｃも光束を遮蔽しないように動作される。
【００４５】
第２光学部品用筐体５４Ａは、第１光学部品用筐体５２Ａと同様に、光学部品５４１〜５４４及び光学調整装置６Ｃを内部に収納する部品収納部材と、当該部品収納部材の開口部を閉塞する蓋状部材とを備える。
このような第２光学装置５４により、中心軸に直交する面内の照度が均一化された光束（青の光束）は、Ｚ方向に進行して、青用の画像形成装置５５Ｂに入射される。
なお、本実施形態では、図３に示すように、第２光学装置５４を透過する光の中心軸は、第１光学装置５２を透過する光の中心軸に対して平行ではなく、Ｚ方向に向かうに従ってＹ方向側に位置するように傾斜している。これは、第２光学部品用筐体５４ＡのＺ方向側の端部が、後述する画像形成装置５５Ｇと干渉することを避け、光学ユニット５、ひいては、プロジェクター１のＹ方向の寸法（厚さ寸法）を小さくするためである。
【００４６】
［画像形成装置の構成］
画像形成装置５５は、第１光学装置５２及び第２光学装置５４から入射される色光毎に設けられ、各色光を画像情報に応じて変調する。画像形成装置５５（赤、緑及び青の各色用の画像形成装置をそれぞれ５５Ｒ，５５Ｇ，５５Ｂとする）は、図３に示すように、それぞれ、反射型偏光板としてのワイヤーグリッド５５１と、反射型光変調装置５５２と、偏光板５５３と、これらを支持する支持体５５４とを備える。
【００４７】
ワイヤーグリッド５５１は、入射される光束の中心軸に対して略４５度傾斜して配置され、格子構造に基づく回折により入射された光束を偏光分離する。具体的に、ワイヤーグリッド５５１は、入射される光のうち、所定の偏光光（第１の直線偏光光）を透過させ、第１の直線偏光光の偏光方向に直交する偏光方向を有する偏光光（第２の直線偏光光）を反射させることで、入射された光を偏光分離する。
【００４８】
反射型光変調装置５５２は、入射される光束を反射させる過程で、当該光束を上記制御装置から入力される画像情報に応じて変調する光変調装置である。本実施形態では、反射型光変調装置５５２は、反射型液晶パネルを有する。反射型光変調装置５５２は、ワイヤーグリッド５５１を透過した光の中心軸に略直交する状態で配置される。
そして、反射型光変調装置５５２は、上記制御装置から信号が入力されることで液晶の配向状態を制御し、ワイヤーグリッド５５１を透過した偏光光を変調して、当該ワイヤーグリッド５５１に向けて反射させる。反射型光変調装置５５２にて変調されてワイヤーグリッド５５１に入射された光のうち、上記第２の直線偏光光と同一の偏光方向を有する偏光光のみがワイヤーグリッド５５１にて反射されて偏光板５５３に入射される。
【００４９】
偏光板５５３は、入射される光のうち、上記第２の直線偏光光の偏光方向と同一の偏光方向を有する偏光光を透過させる。すなわち、ワイヤーグリッド５５１及び偏光板５５３の双方を用いることで、ワイヤーグリッド５５１にて所望の直線偏光光以外の偏光成分が反射された場合であっても、偏光板５５３にて当該偏光成分が透過されないように構成されている。このような偏光板５５３は、色合成装置５６において各色光に応じて設定された光入射面５６Ｒ，５６Ｇ，５６Ｂに対向するように配置される。
【００５０】
支持体５５４は、上記のように、色毎に設けられたワイヤーグリッド５５１、反射型光変調装置５５２及び偏光板５５３を支持する。すなわち、支持体５５４も、色毎に設けられる。
支持体５５４は、ＹＺ平面に沿う断面形状が略直角二等辺三角形状である三角柱状の中空部材であり、アルミニウムで構成されている。支持体５５４において、直角二等辺三角形状の斜辺が含まれる第１側面には、上記ワイヤーグリッド５５１が固定される。また、頂角を挟む二辺のうち、ワイヤーグリッド５５１を透過した偏光光が入射される一辺が含まれる第２側面には、上記反射型光変調装置５５２が固定される。当該第２側面に隣り合う第３側面には、偏光板５５３が固定される。
【００５１】
［色合成装置の構成］
色合成装置５６は、上記各画像形成装置５５（５５Ｒ，５５Ｇ，５５Ｂ）から入射される色光を合成して、投射光学装置５７に向けて出射する。色合成装置５６は、本実施形態では、クロスダイクロイックプリズムを備えて構成されている。
クロスダイクロイックプリズムは、４つの直角プリズムを貼り合せた平面視略正方形状を有する。当該クロスダイクロイックプリズムの６つの外面のうち、Ｙ方向を向く外面が赤用の光入射面５６Ｒであり、Ｙ方向とは反対側を向く外面が青用の光入射面５６Ｂであり、Ｚ方向とは反対側を向く外面が緑用の光入射面５６Ｇである。また、当該６つの外面のうち、Ｚ方向を向く外面が光出射面５６Ａである。
【００５２】
このようなクロスダイクロイックプリズムにおいて、上記直角プリズム同士を貼り合せた界面には、２つの誘電体多層膜が形成されている。これら誘電体多層膜は、Ｚ方向に沿って入射される緑色光を透過させ、Ｙ方向とは反対方向に沿って入射される赤色光と、Ｙ方向に沿って入射される青色光をそれぞれＺ方向に向けて反射させる。このようにして合成された各色光は、Ｚ方向側に位置する投射光学装置５７に向かって光出射面５６Ａから出射される。
【００５３】
［投射光学装置の構成］
投射光学装置５７は、色合成装置５６から入射される各色光、すなわち、当該各色光により形成される画像を上記被投射面に向かって投射する投射レンズである。投射光学装置５７は、詳しい図示を省略するが、複数のレンズと、当該複数のレンズを内部に収納する鏡筒とを備えた組レンズとして構成されている。
【００５４】
［光学調整装置の構成］
図４は、光学調整装置６Ａを光入射側から見た斜視図であり、図５は、光学調整装置６Ａを光出射側から見た斜視図である。また、図６は、光学調整装置６ＡをＹ方向側から見た平面図であり、図７は、光学調整装置６ＡをＸ方向側から見た側面図である。
光学調整装置６Ａは、上記のように、入射される光束の一部を遮蔽して、当該光束の中心軸に直交する面内における当該光束の形状を調整する。光学調整装置６Ａは、図４〜図７に示すように、支持部材６１、ガイド軸６２、駆動手段６３、ギア６４、調整部材６５及び移動部材６６を備える。
【００５５】
［支持部材の構成］
支持部材６１は、板金を折曲加工することにより形成された金属製部材である。支持部材６１は、ガイド軸６２、駆動手段６３及びギア６４を支持し、ひいては、ガイド軸６２が挿通される移動部材６６、及び、当該移動部材６６に取り付けられる調整部材６５を支持する。支持部材６１は、図４〜図６に示すように、ガイド軸６２を支持するとともに内部に移動部材６６が配置される本体部６１１と、本体部６１１におけるＹ方向とは反対側の端部からそれぞれＸＺ平面に沿って延出する駆動手段支持部６１２、センサー支持部６１３，６１４及び取付部６１５，６１６とを有する。
【００５６】
本体部６１１は、全体略直方体形状に形成されており、Ｙ方向側に位置する側面部６１１Ａと、それぞれ当該側面部６１１Ａと接続される側面部６１１Ｂ〜６１１Ｅとを有する。側面部６１１ＢはＺ方向側に位置し、側面部６１１ＣはＺ方向とは反対側に位置する。側面部６１１ＤはＸ方向側に位置し、側面部６１１ＥはＸ方向とは反対側に位置する。また、本体部６１１は、図５に示すように、側面部６１１Ａ〜６１１Ｅにより端縁が形成され、かつ、Ｙ方向とは反対側を向く凹部６１１１を有する。凹部６１１１内には、移動部材６６が配置される。
【００５７】
側面部６１１Ｄ，６１１Ｅは、それぞれ、Ｚ方向側の端部近傍にガイド軸６２が挿通する孔部６１１２（側面部６１１Ｅの孔部は図示省略）を有する。各孔部６１１２を挿通したガイド軸６２は、図４、図６及び図７に示すように、Ｅリング６１１３により、本体部６１１からの抜けが防止される。
側面部６１１Ｂは、略中央部分に凹部６１１１内と外部とを連通させる開口部６１１４を有する。この開口部６１１４を介して凹部６１１１内に配置された移動部材６６（詳しくはラック部６６Ｃ１）が外部に露出し、当該移動部材６６とギア６４とが噛合する。
【００５８】
駆動手段支持部６１２は、側面部６１１Ｂの略中央部分におけるＹ方向とは反対側の端部からＺ方向に延出している。駆動手段支持部６１２には、駆動手段６３が取り付けられるとともに、ギア６４が回転可能に支持される。
センサー支持部６１３，６１４は、側面部６１１ＢのＸ方向両端近傍で、かつ、Ｙ方向とは反対側の端部からＺ方向に延出している。センサー支持部６１３，６１４には、移動部材６６が当接されることでオン／オフ状態が切り替わり、これにより、移動部材６６の位置を検出するセンサー６１３１，６１４１がそれぞれ取り付けられる。センサー６１３１，６１４１による検出結果は、上記制御装置に出力される。
【００５９】
取付部６１５は、側面部６１１ＤのＹ方向とは反対側の端部からＸ方向に延出し、取付部６１６は、側面部６１１ＣのＹ方向とは反対側の端部からＺ方向とは反対側に延出している。取付部６１５，６１６は、光学調整装置６Ａを第１光学部品用筐体５２Ａに取り付けるための部位である。取付部６１５，６１６は、当該第１光学部品用筐体５２Ａに固定されるねじ（図示省略）が挿通する孔部６１５１，６１６１をそれぞれ有する。なお、取付部６１５が有する２つの孔部６１５１のうち、一方は長孔状に形成され、他方は円形状に形成されている。取付部６１６が有する２つの孔部６１６１も同様である。
【００６０】
［ガイド軸の構成］
ガイド軸６２は、上記のように支持部材６１の側面部６１１Ｄ，６１１Ｅにて支持されるとともに、移動部材６６を当該ガイド軸６２に沿って摺動可能に支持する。ガイド軸６２は、Ｘ方向に沿って配置される棒状部材であり、当該ガイド軸６２の両端には、上記Ｅリング６１１３と係合する大径部６２１が設けられている。
【００６１】
［駆動手段及びギアの構成］
駆動手段６３は、移動部材６６を移動させる駆動力を発生させるものである。本実施形態では、駆動手段６３は、モーター６３１と、当該モーター６３１のスピンドル６３２に取り付けられるギア６３３とを備え、モーター６３１が駆動すると、ギア６３３が回転する構成となっている。
ギア６４は、上記ギア６３３と噛合した状態で、駆動手段支持部６１２に回転可能に支持される。また、ギア６４は、移動部材６６の後述するラック部６６Ｃ１と噛合し、当該移動部材６６をガイド軸６２に沿ってスライド移動させる。
【００６２】
［調整部材の構成］
調整部材６５は、入射される光の光学特性を調整する部材であり、図５に示すように、移動部材６６の側面部６６ＢにねじＳにより取り付けられる。換言すると、調整部材６５は、移動部材６６に対して交換可能に取り付けられる。調整部材６５は、移動部材６６とともにガイド軸６２に沿って移動する。なお、光学調整装置６Ａでは、調整部材６５として、光学絞り６５Ａが採用されている。
【００６３】
光学絞り６５Ａは、図５に示すように、移動部材６６の移動に伴って光束の光路上に配置される本体部６５Ａ１と、当該本体部６５Ａ１におけるＹ方向側の端部からＺ方向に沿って屈曲して移動部材６６に取り付けられる取付部６５Ａ２とを有する板状体である。
これらのうち、取付部６５Ａ２は、ねじＳが挿通する２つの孔部（図示省略）と、移動部材６６が有するボス６６Ｂ２がそれぞれ挿通される２つの孔部６５Ａ２１とを有する。２つの孔部６５Ａ２１のうち、Ｘ方向とは反対側に位置する孔部６５Ａ２１は長孔状に形成され、Ｘ方向側の孔部６５Ａ２１は円形状に形成されている。
【００６４】
本体部６５Ａ１は、当該本体部６５Ａ１の略中央に位置し、かつ、光入射側から見て長手方向がＹ方向に沿う略長方形状に形成された通過部６５Ａ３と、当該通過部６５Ａ３以外の領域であり、かつ、入射された光を遮蔽する遮蔽部６５Ａ４とを有する。このため、光学絞り６５Ａ（詳しくは本体部６５Ａ１）に入射される光束における周縁部の光は、遮蔽部６５Ａ４により遮蔽され、上記反射型光変調装置５５２に対する入射角度が小さい中央部分の光が、通過部６５Ａ３を通過する。これにより、当該中央部分の光が入射される反射型光変調装置５５２により形成される画像のコントラストを向上できる。
なお、遮蔽部６５Ａ４にて遮蔽される光は、当該遮蔽部６５Ａ４にてＺ方向とは反対側に反射される。
【００６５】
ここで、本体部６５Ａ１は、光入射側から見て略矩形状に形成され、Ｙ方向略中央で屈曲している。このため、本体部６５Ａ１は、取付部６５Ａ２側（Ｙ方向側）の領域である第１領域６５Ａ１１と、取付部６５Ａ２とは反対側（Ｙ方向とは反対側）の領域である第２領域６５Ａ１２とに区分けされる。なお、上記通過部６５Ａ３は、第１領域６５Ａ１１及び第２領域６５Ａ１２に跨って形成されている。
【００６６】
第１領域６５Ａ１１は、図７に示すように、入射される光の進行方向（Ｚ方向）に略直交する。換言すると、第１領域６５Ａ１１は、ＸＹ平面に沿う。これに対し、第２領域６５Ａ１２は、入射される光の進行方向（Ｚ方向）に対して傾斜して配置される。詳述すると、第２領域６５Ａ１２は、取付部６５Ａ２から離れる方向（Ｙ方向とは反対方向）に向かうに従ってＺ方向側に位置するように傾斜している。
このため、第１領域６５Ａ１１の遮蔽部６５Ａ４に入射された光は、Ｚ方向とは反対側に反射され、第２領域６５Ａ１２の遮蔽部６５Ａ４に入射された光は、Ｚ方向とは反対側で、かつ、Ｙ方向とは反対方向に傾斜して反射される。これにより、本体部６５Ａ１に入射されて遮蔽部６５Ａ４にて反射される光の進行方向及び入射位置を分散させることができる。従って、遮蔽部６５Ａ４に入射された光がすべて同じ方向に反射される場合に比べ、当該光が反射されて入射される構成の温度上昇を抑制できる。
【００６７】
［移動部材の構成］
図８は、移動部材６６を光入射側から見た斜視図であり、図９は、移動部材６６を光出射側から見た斜視図である。
移動部材６６は、上記のように、ギア６４の回転に伴ってガイド軸６２に沿ってＸ方向側に移動して調整部材６５を光路上に配置する状態と、Ｘ方向とは反対側に移動して調整部材６５を光路上に配置しない状態とを切り替える。移動部材６６は、図８及び図９に示すように、Ｘ方向に沿う横長の直方体形状に形成されており、Ｘ方向における移動部材６６の寸法は、Ｘ方向における上記側面部６１１Ａの寸法の略半分である。
移動部材６６は、当該移動部材６６の外面である側面部６６Ａ〜６６Ｆを有する。これらのうち、側面部６６ＡはＹ方向側に位置し、側面部６６ＢはＹ方向とは反対側に位置する。側面部６６ＣはＺ方向側に位置し、側面部６６ＤはＺ方向とは反対側に位置する。側面部６６ＥはＸ方向側に位置し、側面部６６ＦはＸ方向とは反対側に位置する。
側面部６６Ｃは、本発明の第１側面に相当し、図８及び図９に示すように、ギア６４と噛合する複数の歯を有するラック部６６Ｃ１を有する。
【００６８】
側面部６６Ａは、本発明の第２側面に相当し、上記支持部材６１の側面部６１１Ａ（図４、図６及び図７参照）の内面に対向する。側面部６６Ａは、図８に示すように、当該側面部６６Ａから突出する複数の突部６６Ａ１を有する。突部６６Ａ１は、側面部６６Ａの各隅部にそれぞれ１つずつ、合計４つ設けられている。これら突部６６Ａ１のうち少なくともいずれかが、支持部材６１における側面部６１１Ａの内面に当接することで、ガイド軸６２を中心として移動部材６６が回動する場合でも、当該移動部材６６の回動角を小さくすることができる。
【００６９】
また、側面部６６Ａは、当該側面部６６ＡからＹ方向に突出し、かつ、Ｘ方向に沿って延出する２つの突条６６Ａ２を有する。当該２つの突条６６Ａ２は、Ｚ方向に沿って所定間隔離れて配置されており、各突条６６Ａ２は、上記突部６６Ａ１と同様に機能する。
更に、側面部６６Ａには、Ｘ方向両端近傍で、かつ、Ｚ方向側（側面部６６Ｃ側）の位置にそれぞれ凹部６６Ａ３が形成されている。これら凹部６６Ａ３は、移動部材６６を挿通するガイド軸６２との接触面積を小さくするものであり、当該凹部６６Ａ３を介して、ガイド軸６２がＹ方向側に露出する。
【００７０】
側面部６６Ｂは、図９に示すように、Ｘ方向における両端側の位置に、それぞれねじ孔６６Ｂ１及びボス６６Ｂ２を有する。ねじ孔６６Ｂ１には、調整部材６５である光学絞り６５Ａの取付部６５Ａ２を挿通したねじＳ（図５参照）が螺合する。ボス６６Ｂ２は、当該取付部６５Ａ２に形成された孔部６５Ａ２１を挿通する。これにより、移動部材６６に調整部材６５が精度よく取り付けられる。
また、側面部６６Ｂには、Ｘ方向両端側で、かつ、Ｚ方向側（側面部６６Ｃ側）の位置にそれぞれ凹部６６Ｂ３が形成され、また、これら凹部６６Ｂ３により挟まれるように凹部６６Ｂ４が形成されている。これら凹部６６Ｂ３，６６Ｂ４は、上記凹部６６Ａ３と同様に、ガイド軸６２との接触面積を小さくするものであり、当該凹部６６Ｂ３，６６Ｂ４を介して、ガイド軸６２（換言すると、軸収納部６６２）がＹ方向とは反対側に露出する。
【００７１】
側面部６６Ｅ，６６Ｆには、図８及び図９に示すように、Ｘ方向に沿って形成されて内部にガイド軸６２が配置される軸収納部６６２と接続される孔部６６１が開口している。換言すると、側面部６６Ｅ，６６Ｆには、ガイド軸６２が挿通する孔部６６１が開口している。
これら側面部６６Ｅ，６６Ｆには、ガイド軸６２に対する移動部材６６の揺動を規制する揺動規制部６６Ｅ１，６６Ｆ１が設けられている。すなわち、揺動規制部６６Ｅ１，６６Ｆ１は、移動部材６６において、当該移動部材６６の移動方向であるＸ方向の両端側に配置されている。
【００７２】
図１０は、側面部６６ＥをＸ方向とは反対方向に沿って見た側面図である。
揺動規制部６６Ｅ１は、図１０に示すように、Ｚ方向における側面部６６Ｅの中心Ｃ１に対してＺ方向側（側面部６６Ｃ側）の位置に配置されている。詳述すると、揺動規制部６６Ｅ１は、当該中心Ｃ１に対してＺ方向側に偏って配置された軸収納部６６２と連通する孔部６６１の周囲に設けられている。この揺動規制部６６Ｅ１は、当該孔部６６１の端縁から突出してガイド軸６２に接触する第１支点部６６Ｅ２、第２支点部６６Ｅ３及び第３支点部６６Ｅ４を有する。
【００７３】
第１支点部６６Ｅ２は、孔部６６１において側面部６６Ｃとは反対側に位置している。第１支点部６６Ｅ２は、孔部６６１の端縁においてＺ方向とは反対側の端縁から当該孔部６６１の中心Ｃ２に向かって突出している。すなわち、第１支点部６６Ｅ２は、孔部６６１を挿通するガイド軸６２に対して側面部６６Ｃとは反対側に位置し、当該ガイド軸６２において側面部６６Ｃから最も離れた部位に対向するように配置されている。
【００７４】
第２支点部６６Ｅ３及び第３支点部６６Ｅ４は、孔部６６１において側面部６６Ｃ側（すなわち、ガイド軸６２に対して側面部６６Ｃ側）に位置しており、第１支点部６６Ｅ２からそれぞれ略等間隔となる位置に配置されている。また、第２支点部６６Ｅ３は、ガイド軸６２に対してＹ方向側に位置し、第３支点部６６Ｅ４は、ガイド軸６２に対してＹ方向側とは反対側に位置する。
更に、第１支点部６６Ｅ２と接触する部位のガイド軸６２の接線である直線Ｌ１と、第２支点部６６Ｅ３と接触する部位のガイド軸６２の接線である直線Ｌ２と、第３支点部６６Ｅ４と接触する部位のガイド軸６２の接線である直線Ｌ３とにより形成される三角形は、正三角形となるように、各支点部６６Ｅ２〜６６Ｅ４は配置されている。
そして、当該各支点部６６Ｅ２〜６６Ｅ４により、ガイド軸６２は、外周面において３点で支持される。
【００７５】
図１１は、側面部６６ＦをＸ方向に沿って見た図である。
側面部６６Ｆに設けられた揺動規制部６６Ｆ１も、揺動規制部６６Ｅ１と同様に、孔部６６１の端縁から当該孔部６６１の中心Ｃ２に向けて突出して、ガイド軸６２に接触する第１支点部６６Ｆ２、第２支点部６６Ｆ３及び第３支点部６６Ｆ４を有する。そして、第１支点部６６Ｆ２、第２支点部６６Ｆ３及び第３支点部６６Ｆ４は、孔部６６１に対して、前述の第１支点部６６Ｅ２、第２支点部６６Ｅ３及び第３支点部６６Ｅ４と同様の位置に配置される。
【００７６】
［回動時の移動部材の移動量抑制］
以下、移動部材６６を挿通するガイド軸６２が、当該移動部材６６においてギア６４と噛合する側面部６６Ｃ側に偏って配置されていることについて説明する。
図１２は、光学調整装置６Ａの比較例としての光学調整装置６Ｘを構成する移動部材６６Ｘがガイド軸６２を中心として回動する状態を示す図である。
図１２に示す光学調整装置６Ｘは、移動部材６６に代えて移動部材６６Ｘを有する他は、光学調整装置６Ａと同様の構成を有する。移動部材６６Ｘは、移動部材６６と同様の構成を有する。しかしながら、移動部材６６Ｘにおいては、ガイド軸６２が挿通される孔部６６１が、側面部６６Ｃ側ではなく側面部６６Ｄ側に偏って配置されている。すなわち、移動部材６６Ｘにおいてガイド軸６２は、側面部６６Ｄ側に偏って配置されている。
【００７７】
移動部材６６Ｘは、当該移動部材６６Ｘの重心位置の関係により、図１２の図面視で時計回り（図１２におけるＤ１方向）に回動しやすい。この場合、ガイド軸６２が側面部６６Ｄ側に偏って配置されていることにより、ギア６４と噛合するラック部６６Ｃ１を有する側面部６６Ｃの移動量は、比較的大きくなる。例えば、図１２に示すように、移動部材６６Ｘの回動角θが１０度である場合、側面部６６Ｃの移動量は寸法Ｓ１となる。
このように、移動部材６６Ｘの回動時における側面部６６Ｃの移動量が大きくなると、ギア６４側への移動部材６６Ｘの傾斜量も大きくなる。このような場合には、ラック部６６Ｃ１の歯がギア６４の歯に深く入り込み、当該ラック部６６Ｃ１とギア６４との間で噛み込みが発生しやすい。
【００７８】
図１３は、光学調整装置６Ａを構成する移動部材６６がガイド軸６２を中心として回動する状態を示す図である。
一方、移動部材６６は、当該移動部材６６の重心位置の関係により、図１３の図面視で反時計回り（図１３におけるＤ２方向）に回動しやすい。この場合、ガイド軸６２が側面部６６Ｃ側に偏って配置されていることにより、当該側面部６６Ｃの移動量は、比較的小さくなる。例えば、図１３に示すように、移動部材６６の回動角θが１０度である場合、側面部６６Ｃの移動量は、上記寸法Ｓ１より小さい寸法Ｓ２となる。
このように、移動部材６６が回動した際の側面部６６Ｃの移動量が小さいと、ギア６４側への移動部材６６の傾斜量も小さくなる。このため、ラック部６６Ｃ１の歯がギア６４の歯に深く入り込むことが抑制され、上記噛み込みの発生が抑制される。
【００７９】
［移動部材の揺動規制］
以下、揺動規制部６６Ｅ１が有する支点部６６Ｅ２〜６６Ｅ４のうち、第１支点部６６Ｅ２がガイド軸６２において側面部６６Ｃから最も離れた部位に対向する位置に配置されている点について説明する。
図１４は、本実施形態に対する比較例を示す図であり、上記各支点部６６Ｅ２〜６６Ｅ４が、孔部６６１の中心Ｃ２を通り、かつ、Ｙ方向に沿う直線に対して線対称に配置された場合の上記各直線Ｌ１〜Ｌ３とガイド軸６２との関係を模式的に示す図である。換言すると、ガイド軸６２の揺動状態を示す図である。
上記各支点部６６Ｅ２〜６６Ｅ４が、孔部６６１の中心Ｃ２を通り、かつ、Ｙ方向に沿う直線に対して線対称に配置された場合では、第１支点部６６Ｅ２は、ガイド軸６２に対して最もＺ方向側に位置する端部と対向するように配置される。同様に、第２支点部６６Ｅ３及び第３支点部６６Ｅ４は、ガイド軸６２に対してＺ方向とは反対側に配置される。このような場合には、ガイド軸６２において各支点部６６Ｅ２〜６６Ｅ４と接触する部位の接線である直線Ｌ１〜Ｌ３は、図１４に示すように、Ｚ方向とは反対側に１つの頂点が設定される正三角形を形成する。なお、この状態では、孔部６６１の中心Ｃ２と、ガイド軸６２の中心Ｃ３とは、略一致する。
【００８０】
この状態から、移動部材６６に熱膨張が生じる等して、各支点部６６Ｅ２〜６６Ｅ４が中心Ｃ２から離れる方向に寸法Ｓ３広がった場合、図１４において広がった後の各直線Ｌ１〜Ｌ３及びガイド軸６２の位置を点線で示すように、ガイド軸６２は、Ｚ方向とは反対側に比較的大きく移動できるようになる。ここで、ガイド軸６２は、支持部材６１に固定されているので、実際には移動部材６６がＺ方向に移動できるようになる。移動部材６６がＺ方向に大きく移動すると、ラック部６６Ｃ１とギア６４とのクリアランスが減少する。更に、ガイド軸６２がＺ方向とは反対側に位置する場合と同様に、移動部材６６が回動した際の当該移動部材６６（側面部６６Ｃ）のギア６４側への傾斜量が大きくなり、上記噛み込みが生じやすくなる。
【００８１】
図１５は、本実施形態における各支点部６６Ｅ２〜６６Ｅ４の位置での上記各直線Ｌ１〜Ｌ３とガイド軸６２との関係を模式的に示す図である。換言すると、ガイド軸６２の揺動状態を示す図である。
これに対し、本実施形態においては、支点部６６Ｅ２〜６６Ｅ４のうち第１支点部６６Ｅ２は、ガイド軸６２に対して最もＺ方向とは反対側に位置する部位と対向するように配置される。そして、本実施形態においては、ガイド軸６２において各支点部６６Ｅ２〜６６Ｅ４と接触する部位の接線である直線Ｌ１〜Ｌ３は、図１５に示すように、Ｚ方向側に１つの頂点が設定される正三角形を形成する。なお、上記のように、この状態では、孔部６６１の中心Ｃ２とガイド軸６２の中心Ｃ３とは略一致する。
【００８２】
この状態から、各支点部６６Ｅ２〜６６Ｅ４が中心Ｃ２から離れる方向に寸法Ｓ３広がった場合、図１５において広がった後の各直線Ｌ１〜Ｌ３及びガイド軸６２の位置を点線で示すように、ガイド軸６２がＺ方向とは反対方向へ移動できる量は、図１４に示した比較例より小さい。すなわち、移動部材６６のＺ方向へ移動できる量は小さい。これにより、移動部材６６がＺ方向に移動する場合でも、ラック部６６Ｃ１とギア６４とのクリアランスの減少量は小さくすることができるとともに、移動部材６６が回動した際の当該移動部材６６（側面部６６Ｃ）のギア６４側への傾斜量も小さくすることができる。従って、第１支点部６６Ｅ２が、ガイド軸６２に対して最もＺ方向とは反対側に位置する部位に対向するように配置されることで、上記噛み込みを生じにくくすることができる。
上記揺動規制部６６Ｆ１が有する各支点部６６Ｆ２〜６６Ｆ４においても同様である。
【００８３】
［他の光学調整装置の構成］
図１６は、光学調整装置６Ｂを光入射側から見た斜視図であり、図１７は、光学調整装置６Ｂを光出射側から見た斜視図である。
光学調整装置６Ｂは、前述のように、入射される光束の色域を調整する。光学調整装置６Ｂは、調整部材６５として光学絞り６５Ａに代えてフィルター部材６５Ｂを備える他は、光学調整装置６Ａと同様の構成を有する。
フィルター部材６５Ｂは、図１６及び図１７に示すように、本体部６５Ｂ１、２つの取付部６５Ｂ２、カラーフィルター６５Ｂ３及び取付部材６５Ｂ４を備える。
【００８４】
各取付部６５Ｂ２は、図１７に示すように、本体部６５Ｂ１におけるＹ方向側の端部からＺ方向に延出している。各取付部６５Ｂ２は、ねじＳが挿通される孔部（図示省略）と、上記ボス６６Ｂ２が挿通される孔部６５Ｂ２１とをそれぞれ有する。
カラーフィルター６５Ｂ３は、略矩形状に形成されている。本実施形態では、カラーフィルター６５Ｂ３は、入射される光のうち、緑色光の波長と赤色光の波長との間の中間波長の色光の強度を減衰させる特性を有する。
取付部材６５Ｂ４は、本体部６５Ｂ１にカラーフィルター６５Ｂ３を固定する。
【００８５】
本体部６５Ｂ１は、図１６に示すように、Ｚ方向に沿って見た場合に略矩形状に形成されており、光束が透過する略矩形状の開口部６５Ｂ１１を略中央に有する。上記カラーフィルター６５Ｂ３は、開口部６５Ｂ１１を透過した光が入射される位置に配置される。
本体部６５Ｂ１は、図１７に示すように、Ｙ方向の両端近傍に、Ｘ方向に沿って延出する断面略Ｌ字状の一対のガイド部６５Ｂ１２を有する。また、本体部６５Ｂ１は、Ｘ方向とは反対側の端部がＺ方向に屈曲された押さえ部６５Ｂ１３を有する。
【００８６】
カラーフィルター６５Ｂ３を本体部６５Ｂ１に取り付ける際には、本体部６５Ｂ１におけるＺ方向側（光出射側）の面に沿って押さえ部６５Ｂ１３に当接するまで、一対のガイド部６５Ｂ１２間にカラーフィルター６５Ｂ３を挿入する。この状態で、本体部６５Ｂ１におけるＸ方向側の端部に取付部材６５Ｂ４を取り付けると、当該取付部材６５Ｂ４により、カラーフィルター６５Ｂ３は、本体部６５Ｂ１とともに挟持される。これにより、カラーフィルター６５Ｂ３は、本体部６５Ｂ１に固定される。
なお、光学調整装置６Ｃは、光学調整装置６Ａと同様の構成を備えるので、説明を省略する。
【００８７】
［実施形態の効果］
以上説明した本実施形態に係るプロジェクター１によれば、以下の効果がある。
光学調整装置６（６Ａ〜６Ｃ）は、駆動手段６３の駆動により回転するギア６４と噛合するラック部６６Ｃ１と、孔部６６１を挿通するガイド軸６２が内部に配置される軸収納部６６２とを有する移動部材６６を備える。軸収納部６６２は、移動部材６６の移動方向（Ｘ方向）に沿って当該移動部材６６を見た場合に、ラック部６６Ｃ１が位置する側面部６６Ｃ側に偏って配置されている。すなわち、ガイド軸６２は、上記移動方向に沿って移動部材６６を見た場合に、当該移動部材６６の中心Ｃ１に対して側面部６６Ｃ側（Ｚ方向側）に位置する。これによれば、ガイド軸６２を中心として移動部材６６が回動した場合でも、ガイド軸６２が側面部６６Ｃ側とは反対側（側面部６６Ｄ側）に位置する場合に比べて、移動部材６６における側面部６６Ｃ側の端部の移動量を小さくすることができる。このため、ギア６４側への移動部材６６の傾斜量を小さくすることができ、当該ギア６４とラック部６６Ｃ１との噛み込みの発生を抑制できる。従って、移動部材６６、ひいては、調整部材６５の移動を適切に実施できるので、投射される光の光学特性（すなわち、投射画像の光学特性）の調整を適切に実施できる。
【００８８】
移動部材６６が揺動規制部６６Ｅ１，６６Ｆ１を有することにより、移動部材６６の揺動（ガタつき）を抑制でき、ひいては、ギア６４側への移動部材６６の移動を抑制できる。従って、移動部材６６が回動した際の側面部６６Ｃ側の端部の移動量が大きくなることを抑制でき、ギア６４側への傾斜量が大きくなることを抑制できる。従って、上記噛み込みの発生を一層抑制できる。
【００８９】
ガイド軸６２は、側面部６６Ｃとは反対側に位置する第１支点部６６Ｅ２，６６Ｆ２と、側面部６６Ｃ側に位置し、かつ、第１支点部６６Ｅ２，６６Ｆ２からそれぞれ略等間隔に配置される第２支点部６６Ｅ３，６６Ｆ３及び第３支点部６６Ｅ４，６６Ｆ４により囲まれる。これによれば、ガイド軸６２の中心軸に直交する方向への移動部材６６の揺動を確実に規制できる。
更に、第１支点部６６Ｅ２，６６Ｆ２は、ガイド軸６２において側面部６６Ｃから最も離れた部位に対向する位置に配置される。これによれば、上記のように、移動部材６６のギア６４側への移動量及び傾斜量を小さくすることができる。従って、上記噛み込みの発生を確実に抑制できる。
【００９０】
ここで、移動部材６６とガイド軸６２との接触面積が大きい場合、当該ガイド軸６２に沿って摺動する移動部材６６の摺動抵抗が大きくなる。
これに対し、ガイド軸６２と接触する揺動規制部６６Ｅ１，６６Ｆ１は、移動部材６６のＸ方向（ガイド軸６２の中心軸に沿う方向）における両端側にそれぞれ配置されている。すなわち、移動部材６６は、当該揺動規制部６６Ｅ１，６６Ｆ１の位置でのみ、ガイド軸６２と接触する。これによれば、ガイド軸６２との移動部材６６の接触面積を小さくすることができるので、当該移動部材６６の摺動抵抗を小さくすることができる。従って、移動部材６６をガイド軸６２に沿って摺動させやすくすることができる。また、揺動規制部６６Ｅ１，６６Ｆ１が、移動部材６６のＸ方向における両端側にそれぞれ配置されていることにより、当該移動部材６６の中央にのみ配置されている場合に比べて、移動部材６６の摺動を安定化することができる他、移動部材６６のガタつきを抑制できる。
【００９１】
支持部材６１が、ガイド軸６２を支持し、ひいては、当該ガイド軸６２が挿通する移動部材６６を支持するので、光学調整装置６を一体的に構成できる。
また、矩形状の側面部６６Ａの各隅部に設けられた突部６６Ａ１が、当該側面部６６Ａと対向する側面部６１１Ａの内面と接触するので、側面部６６Ａの全体が当該内面と接触する場合に比べて、移動部材６６と支持部材６１との接触面積を小さくすることができる。この他、当該突部６６Ａ１が支持部材６１と接触することで、ガイド軸６２を中心として移動部材６６が回動する場合でも、当該移動部材６６の回動角を小さくすることができる。従って、移動部材６６を摺動しやすくすることができる他、当該移動部材６６のガタつきを抑制できる。
【００９２】
支持部材６１は折曲加工により形成されているため、側面部６６Ａを覆う支持部材６１の側面部６１１Ａにおける中央が移動部材６６側とは反対側に凸曲面状に湾曲しやすい。
これに対し、突部６６Ａ１が側面部６６Ａの各隅部にそれぞれ設けられていることにより、２つの突部６６Ａ１が側面部６１１ＡのＸ方向における両端の一方、すなわち、湾曲しづらい位置に接触させることができる。従って、支持部材６１が折曲加工により形成されている場合でも、上記効果を好適に奏することができる。
【００９３】
光学調整装置６を構成する調整部材６５は、移動部材６６に対して交換可能に設けられているので、調整部材６５として上記光学絞り６５Ａを有する光学調整装置６Ａ，６Ｃと、上記フィルター部材６５Ｂを有する光学調整装置６Ｂとで、構成の共通化を図ることができる。また、経年劣化等により調整部材６５を交換する場合でも、光学調整装置６全体を交換する必要がない。従って、プロジェクター１の製造コストを低減できる。
【００９４】
光学調整装置６Ａ，６Ｃにおいては、遮蔽部６５Ａ４に入射された光は、当該遮蔽部６５Ａ４にて反射される。この際、第１領域６５Ａ１１の遮蔽部６５Ａ４に入射された光と、第２領域６５Ａ１２の遮蔽部６５Ａ４に入射された光とは、それぞれ異なる方向及び位置に反射される。従って、第１領域６５Ａ１１及び第２領域６５Ａ１２が同一平面に位置する場合に比べて、遮蔽部６５Ａ４にて反射された光の入射位置の温度上昇を抑制でき、劣化を抑制できる。
更に、第２領域６５Ａ１２は、Ｙ方向とは反対側に向かうに従ってＺ方向側に位置するように傾斜しているので、反射された光が第１光源装置５１１及び第２光源装置５３１に戻ることを抑制できる。従って、各光源装置５１１，５３１、及び、当該各光源装置５１１，５３１から調整部材６５までの光路上に位置する光学部品の劣化を抑制できる。
【００９５】
［変形例］
本発明は、上記実施形態に限定されるものではなく、本発明の目的を達成できる範囲での変形、改良等は本発明に含まれるものである。
上記実施形態では、移動部材６６は、側面部６６Ｅ，６６Ｆに開口する孔部６６１と接続される軸収納部６６２を有し、当該軸収納部６６２は、移動部材６６をＸ方向に沿って見た場合に、側面部６６Ｃ側に偏って配置されているとした。しかしながら、本発明はこれに限らない。例えば、側面部６６Ａ又は側面部６６Ｂに開口するとともに、側面部６６Ｅ，６６Ｆに開口する凹部を形成し、当該凹部内にガイド軸６２を収納する構成としてもよい。
【００９６】
上記実施形態では、移動部材６６は、第１支点部６６Ｅ２，６６Ｆ２、第２支点部６６Ｅ３，６６Ｆ３及び第３支点部６６Ｅ４，６６Ｆ４を有する揺動規制部６６Ｅ１，６６Ｆ１を備えるとしたが、本発明はこれに限らない。すなわち、これら揺動規制部６６Ｅ１，６６Ｆ１は無くてもよい。
また、揺動規制部６６Ｅ１は、３つの支点部６６Ｅ２〜６６Ｅ４を有するとしたが、本発明はこれに限らず、支点部の数は適宜偏光可能である。例えば、少なくともギア６４側への移動部材６６の揺動（ガタつき）を抑制できる位置に配置されていれば、支点部の数は２つでも、４つ以上でもよい。
【００９７】
更に、各支点部６６Ｅ２〜６６Ｅ４，６６Ｆ２〜６６Ｆ４の端縁形状は、図１０及び図１１に示したように円弧状であったが、本発明はこれに限らない。例えば、図１０に直線Ｌ１〜Ｌ３として示したような直線状であってもよい。更に、支点部の形状は、孔部６６１の端縁を底辺とする略三角形状であってもよい。すなわち、支点部の形状は、適宜変更可能である。
加えて、揺動規制部６６Ｅ１，６６Ｆ１の位置は、移動部材６６の移動方向に沿う両端側に設けられるとしたが、本発明はこれに限らない。例えば、揺動規制部を移動部材６６の移動方向の中央側、又は略中央に設けてもよい。更に、揺動規制部６６Ｅ１，６６Ｆ１のうち、一方のみを有する構成としてもよい。
【００９８】
上記実施形態では、移動部材６６は、側面部６６Ａの各隅部にそれぞれ突設された突部６６Ａ１を有するとしたが、本発明はこれに限らない。すなわち、突部６６Ａ１の数及び配置は適宜変更可能である。更に、突部６６Ａ１及び突条６６Ａ２は無くてもよい。
上記実施形態では、移動部材６６に対して調整部材６５は交換可能に取り付けられるとしたが、本発明はこれに限らない。すなわち、調整部材６５は、移動部材６６から取り外しができないように固定されていてもよい。
上記実施形態では、調整部材６５として、光学絞り６５Ａ及びフィルター部材６５Ｂを例示したが、本発明はこれに限らない。すなわち、他の光学特性を調整可能な調整部材を採用してもよい。
【００９９】
上記実施形態では、光学絞り６５Ａにおいて、第１領域６５Ａ１１と第２領域６５Ａ１２とは、Ｚ方向に対する角度がそれぞれ異なるとしたが、本発明はこれに限らない。すなわち、第１領域６５Ａ１１及び第２領域６５Ａ１２が同一平面上に配置されていてもよい。更に、第１領域６５Ａ１１は、Ｚ方向に対して直交し、第２領域６５Ａ１２は、Ｚ方向に対して傾斜して配置されるとしたが、本発明はこれに限らず、Ｚ方向に対する角度は逆でもよい。更に、第１領域６５Ａ１１及び第２領域６５Ａ１２のそれぞれが、Ｚ方向に対して傾斜していてもよい。
【０１００】
上記実施形態では、光学絞り６５ＡはＹ方向略中央で屈曲しているが、本発明はこれに限らない。すなわち、Ｙ方向中央の位置からＹ方向側、又は、Ｙ方向と反対側にずれた位置で屈曲している構成でもよい。
【０１０１】
上記実施形態では、光学調整装置６Ａは、第２レンズアレイ５２２と偏光変換素子５２３との間に配置された。光学調整装置６Ｂは、重畳レンズ５２４とダイクロイックミラー５２５との間に配置された。光学調整装置６Ｃは、第２レンズアレイ５４２と偏光変換素子５４３との間に配置された。しかしながら、本発明はこれに限らない。すなわち、光学調整装置６（６Ａ〜６Ｃ）の配置位置は、第１光源装置５１１及び第２光源装置５３１から出射されて外装筐体２外に出射される光の光路上に配置されていれば、どの位置であってもよい。
上記実施形態では、プロジェクター１は、３つの光学調整装置６（６Ａ〜６Ｃ）を備えるとした。しかしながら、本発明はこれに限らない。すなわち、光学調整装置６の数は適宜設定してよい。また、調整する光学特性がそれぞれ異なる光学調整装置６を配置する構成としてもよい。
【０１０２】
上記実施形態では、第１照明装置５１は、赤色光及び緑色光が含まれる黄色光を出射する構成とし、第２照明装置５３は、青色光を出射する構成とした。しかしながら、本発明はこれに限らない。すなわち、他の色光をそれぞれ出射する構成としてもよく、同じ色光（例えば白色光）を出射する構成としてもよい。
また、第１照明装置５１は、入射される光の波長変換を行う波長変換装置５１４を備えるとした。しかしながら、本発明はこれに限らず、上記赤色光及び緑色光を直接出射する構成であってもよい。
更に、各照明装置５１，５３は、ＬＤを有する構成でなくてもよい。例えば、ＬＥＤ（Light Emitting Diode）等の他の固体光源を有する構成や、放電光源ランプを有する構成を採用してもよい。すなわち、各照明装置５１，５３の構成は適宜変更可能である。
【０１０３】
上記実施形態では、第１照明装置５１及び第１光学装置５２の位置と、第２照明装置５３及び第２光学装置５４の位置とがＹ方向においてそれぞれ異なる光学ユニット５を採用したが、本発明はこれに限らない。例えば、光学ユニット５を構成する光学部品を平面上に配置してもよい。すなわち、光学ユニット５を構成する光学部品の配置は、適宜変更可能である。例えば、照明装置（光源装置）及び光学装置は１つでもよい。
上記実施形態では、プロジェクター１は、３つの反射型光変調装置５５２を備えるとしたが、本発明はこれに限らない。すなわち、２つ以下、あるいは、４つ以上の反射型光変調装置を用いたプロジェクターにも、本発明を適用可能である。
【０１０４】
上記実施形態では、光入射面と光出射面とが同一となる反射型液晶パネルを有する反射型光変調装置５５２を採用した。しかしながら、本発明はこれに限らず、光入射面と光出射面とが異なる透過型液晶パネルを有する光変調装置を採用してもよい。また、入射光束を変調して画像情報に応じた画像を形成可能な光変調装置であれば、マイクロミラーを用いたデバイス、例えば、ＤＭＤ（Digital Micromirror Device）等を利用したものなど、液晶以外の光変調装置を用いてもよい。
【０１０５】
上記実施形態では、画像の投射方向と、当該画像の観察方向とが略同じであるフロントタイプのプロジェクター１を例示したが、本発明はこれに限らない。例えば、投射方向と観察方向とがそれぞれ反対方向となるリアタイプのプロジェクターにも適用できる。
【符号の説明】
【０１０６】
１…プロジェクター、６（６Ａ，６Ｂ，６Ｃ）…光学調整装置、５７…投射光学装置、６１…支持部材、６２…ガイド軸、６３…駆動手段、６４…ギア、６５…調整部材、６６…移動部材、５１１…第１光源装置（光源装置）、５３１…第２光源装置（光源装置）、５５２…反射型光変調装置（光変調装置）、６５Ａ１…本体部、６５Ａ２…取付部、６５Ａ３…通過部、６５Ａ４…遮蔽部、６６２…軸収納部、６６Ａ…側面部（第２側面）、６６Ａ１…突部、６６Ｃ…側面部（第１側面）、６６Ｃ１…ラック部、６６Ｅ１，６６Ｆ１…揺動規制部、６６Ｅ２，６６Ｆ２…第１支点部、６６Ｅ３，６６Ｆ３…第２支点部、６６Ｅ４，６６Ｆ４…第３支点部、６５Ａ１１…第１領域、６５Ａ１２…第２領域。
【図１】
2015014728.tif 000003
【図２】
2015014728.tif 000004
【図３】
2015014728.tif 000005
【図４】
2015014728.tif 000006
【図５】
2015014728.tif 000007
【図６】
2015014728.tif 000008
【図７】
2015014728.tif 000009
【図８】
2015014728.tif 000010
【図９】
2015014728.tif 000011
【図１０】
2015014728.tif 000012
【図１１】
2015014728.tif 000013
【図１２】
2015014728.tif 000014
【図１３】
2015014728.tif 000015
【図１４】
2015014728.tif 000016
【図１５】
2015014728.tif 000017
【図１６】
2015014728.tif 000018
【図１７】
2015014728.tif 000019